(57)【特許請求の範囲】
【請求項１】
表示パネルと、
前記表示パネルが取り付けられるリアケースと、
前記リアケースとともに前記表示パネルを内部に収容するように前記リアケースに取り付けられるフロントケースとを備え、
前記フロントケースは、
前記表示パネルからの光を通過させる第１開口が設けられたフロントフレームと、
第２開口が設けられた枠状の部材であり、前記第２開口が前記第１開口と重なるようにフロントフレームに着脱可能に取り付けられる中間部材と、
ユーザが入力するための入力領域を有し、当該入力領域が前記第２開口に重なるように前記中間部材に固定されるタッチパネルとを有し、
前記フロントフレームは、複数の貫通孔を有し、
前記中間部材は、
前記第２開口が設けられた第２フレーム部と、
後方へ向けて突出しており、前記複数の貫通孔のそれぞれに対応する複数の突出部とを有し、
前記複数の突出部が前記フロントフレームの前面側から前記複数の貫通孔のそれぞれに嵌挿されている状態で、前記中間部材が前記フロントフレームの前面に取り付けられている
ことを特徴とするタッチパネル付きディスプレイ。
【請求項２】
前記複数の突出部の各々は、後方へ向けて開放したネジ穴部を有し、
前記複数の突出部の前記ネジ穴部にねじ込まれているネジによって、前記中間部材がフロントフレームの前面に取り付けられている
ことを特徴とする請求項１に記載のタッチパネル付きディスプレイ。
【請求項３】
前記フロントフレームは、前記中間部材が取り付けられる取付領域を囲んで突出する突条部を有する
ことを特徴とする請求項１に記載のタッチパネル付きディスプレイ。
【請求項４】
前記突条部は、前記中間部材の側部を超えて、前記タッチパネルの側部の少なくとも一部を覆う
ことを特徴とする請求項３に記載のタッチパネル付きディスプレイ。
【請求項５】
前記タッチパネルは、前記中間部材に固定される非入力領域を前記入力領域の周囲に有する
ことを特徴とする請求項１から４のいずれか１項に記載のタッチパネル付きディスプレイ。
【請求項６】
請求項１から５のいずれか１項に記載のタッチパネル付きディスプレイを備える
ことを特徴とするＰＯＳ端末。
【発明の詳細な説明】
【技術分野】
【０００１】
本発明は、タッチパネル付きディスプレイ及びＰＯＳ端末に関する。
【背景技術】
【０００２】
タッチパネルとＬＣＤ（Liquid Crystal Display）とを内蔵したタッチパネル付きディスプレイが、広く普及している。例えば特許文献１は、タッチパネルを搭載したフロントケースを、表示器を搭載したリアケースに取り外し可能に装着するタッチパネル付きディスプレイ（特許文献１では、「ディスプレイ装置」と称される。）を開示している。この種のタッチパネル付きディスプレイでは、タッチパネルが、両面テープや接着剤によりフロントケースに固定されることがある。
【先行技術文献】
【特許文献】
【０００３】
【特許文献１】特開２０１３−９７０１３号公報
【発明の概要】
【発明が解決しようとする課題】
【０００４】
上述のようなタッチパネル付きディスプレイにおいて、タッチパネルがフロントフレームに固定された後は、両面テープや接着剤の接着力の程度によっては、タッチパネルやフロントフレームに損傷を与えることなく、タッチパネルをフロントフレームから取り外すことは、困難になる。そのため、タッチパネルとフロントフレームのいずれか一方にのみ不具合が生じた場合であっても、タッチパネルとフロントフレームの両方をセットで交換せざるを得なくなることがある。
【０００５】
ここで、タッチパネルの不具合とは、動作不良等であり、フロントフレームの不具合とは、外観を損なう傷や汚れ等である。
【０００６】
また、タッチパネル付きディスプレイには、特許文献１に記載のタッチパネル付きディスプレイのようにタッチパネルをフロントケースの後面に取り付けるものとは異なり、フロントケースの前面にタッチパネルを全面露出させて取り付けるものもある。この場合、タッチパネルがフロントフレームから外れることを防ぐために、特許文献１に記載のタッチパネル付きディスプレイの場合よりも強固にタッチパネルをフロントフレームに取り付ける必要がある。そのため、タッチパネルをフロントフレームに固定するための両面テープや接着剤には、接着力が強力なものが採用されることが多い。従って、フロントケースの前面にタッチパネルを全面露出させて取り付けるタッチパネル付きディスプレイでは、上述の問題は特に顕著になる。
【０００７】
本発明は、上述の事情に鑑みてなされたもので、タッチパネル及びフロントフレームに損傷を与えることなく、タッチパネルをフロントフレームから取り外すことが可能なタッチパネル付きディスプレイを提供することを目的とする。
【課題を解決するための手段】
【０００８】
上記目的を達成するため、本発明に係るタッチパネル付きディスプレイは、表示パネルと、前記表示パネルが取り付けられるリアケースと、前記リアケースとともに前記表示パネルを内部に収容するように前記リアケースに取り付けられるフロントケースとを備え、前記フロントケースは、前記表示パネルからの光を通過させる第１開口が設けられたフロントフレームと、第２開口が設けられた枠状の部材であり、前記第２開口が前記第１開口と重なるように前記フロントフレームに取り付けられる中間部材と、ユーザが入力するための入力領域を有し、当該入力領域が前記第２開口に重なるように前記中間部材の前面に固定されるタッチパネルとを有し、前記中間部材は、前記第２開口が設けられた第２フレーム部と、後方へ向けて突出しており、前記複数の貫通孔のそれぞれに対応する複数の突出部とを有し、前記複数の突出部が前記フロントフレームの前面側から前記複数の貫通孔のそれぞれに嵌挿されている状態で、前記中間部材が前記フロントフレームの前面に取り付けられている。
【発明の効果】
【０００９】
本発明によれば、タッチパネル及びフロントフレームに損傷を与えることなく、タッチパネルをフロントフレームから取り外すことが可能になる。
【図面の簡単な説明】
【００１０】
【図１】本発明の一実施の形態に係るタッチパネル付きディスプレイを有するＰＯＳ端末の斜視図である。
【図２】一実施の形態に係るＰＯＳ端末のタッチパネル付きディスプレイのフロントケースを取り外した状態での斜視図である。
【図３】一実施の形態に係るタッチパネル付きディスプレイのフロントケースの斜視図であって、（ａ）は、前方から見た図であり、（ｂ）は、後方から見た図である。
【図４】（ａ）は、一実施の形態に係るタッチパネル付きディスプレイのフロントケースの正面図であり、（ｂ）は、その背面図である。
【図５】一実施の形態に係るタッチパネル付きディスプレイのフロントケースの分解斜視図である。
【図６】図４（ａ）に示すVI−VI線における拡大断面図である。
【図７】一実施の形態に係るフロントフレームの斜視図である。
【図８】（ａ）、（ｂ）、（ｃ）、（ｄ）及び（ｅ）は、ぞれぞれ、一実施の形態に係るフロントフレームの正面図、平面図、底面図、右側面図及び背面図である。
【図９】一実施の形態に係る中間部材の斜視図である。
【図１０】（ａ）、（ｂ）、（ｃ）及び（ｄ）は、それぞれ、一実施の形態に係る中間部材の正面図、平面図、右側面図及び背面図である。
【発明を実施するための形態】
【００１１】
以下、本発明の一実施の形態について、図面を参照しつつ説明する。全図を通じて同一の要素には同一の符号を付す。
【００１２】
本発明の一実施の形態に係るＰＯＳ端末１００は、ＰＯＳシステム（POS system, point of sales system）を構成するレジスターであって、その外観を図１に示すように、タッチパネル付きディスプレイ１０１を備える。
【００１３】
なお、ＰＯＳ端末１００は、レジスターに限られず、ＰＯＳシステムを構成する端末装置であればよい。また、ＰＯＳ端末１００は、本発明に特徴的なタッチパネル付きディスプレイ１０１を備える装置の一例であって、タッチパネル付きディスプレイ１０１は、ＰＯＳ端末１００以外の装置に搭載されてもよい。
【００１４】
ＰＯＳ端末１００のタッチパネル付きディスプレイ１０１は、図１に示すように、表示パネル１０２と、リアケース１０３と、フロントケース１０４とを備える。
【００１５】
表示パネル１０２は、光を発することによって、画像を表示する機器である。表示パネル１０２は、例えば、偏光フィルタ、ガラス基板、液晶、バックライトなどから構成される液晶表示パネルである。
【００１６】
以下では、表示パネル１０２が光を発する方向、すなわち、表示パネル１０２の表示画面の法線方向を「前方」とし、この反対方向を「後方」として方向を説明する。また、上下左右の各方向は、表示される画像を正しく判別できるように表示パネル１０２を正置した状態で、タッチパネル付きディスプレイ１０１を前方から見た方向を表す。
【００１７】
リアケース１０３は、フロントケース１０４を取り外したＰＯＳ端末１００の外観を図２に示すように、前方が開放された前後方向が浅い箱状の部材であって、後部がＰＯＳ端末１００の本体部分に取り付けられるとともに、表示パネル１０２が内部に取り付けられる。リアケース１０３は、上部内面から前方へ突出する第１係合部１０５と、表示パネル１０２の上下左右をそれぞれ囲むように内部に配置された金属フレーム１０６ａ，１０６ｂ，１０６ｃ，１０６ｄとを有する。表示パネル１０２の下方に設けられた金属フレーム１０６ｂは、５つのネジＳ１がそれぞれ挿設される５つの第１貫通孔１０７を有する。
【００１８】
フロントケース１０４は、外観を図３及び図４に示すように、後方が開放された前後方向が浅い箱状の部材であって、リアケース１０３とともに表示パネル１０２を内部に収容するようにリアケース１０３の前面部に取り付けられる。フロントケース１０４は、分解斜視図を図５に示すように、フロントフレーム１０８と、中間部材１０９と、タッチパネル１１０とを有する。
【００１９】
フロントフレーム１０８は、図７及び図８に示すように、表示パネル１０２からの光を通過させる第１開口１１１が設けられた第１フレーム部１１２と、第１フレーム部１１２の前面外縁に沿って設けられ前方へ突出する突条部１１３とを有する。本実施の形態では第１開口１１１は、前方から見て概ね矩形である。
【００２０】
ここで、図８において、左中段に示される図（ａ）がフロントフレーム１０８の正面図であり、正面図の上方及び下方に示される図（ｂ）及び（ｃ）がそれぞれ平面図及び底面図であり、正面図の右方に示される図（ｄ）及び（ｅ）がそれぞれ右側面図及び背面図である。
【００２１】
第１フレーム部１１２は、前方から見て概ね矩形の枠部材である。第１フレーム部１１２は、４つの第２係合部１１４と、４つの係合爪１１５と、８つの第２貫通孔１１６と、５つの第１ネジ穴部１１７とを有する。
【００２２】
第２係合部１１４は、上部後面に設けられており、それぞれが対応する位置に設けられたリアケース１０３の第１係合部１０５と係合する。
【００２３】
係合爪１１５は、第１開口１１１を囲む上下左右の辺部のうち、左右の各辺部に２つずつ設けられる。係合爪１１５は、左右の各辺部から後方へ延び、先端には爪が設けられている。係合爪１１５は、表示パネル１０２の左右に設けられた金属フレーム１０６ｃ，１０６ｄに係合する。
【００２４】
第２貫通孔１１６は、第１フレーム部１１２を構成する上下左右の各部に２つずつ設けられている。
【００２５】
第１ネジ穴部１１７は、第１フレーム部１１２を構成する上下左右の各部のうち、下部の後面に設けられている。第１ネジ穴部１１７は、金属フレーム１０６ｂの第１貫通孔１０７と前後に対応付けて設けられており、金属フレーム１０６ｂの裏側から第１貫通孔１０７を貫通して設けられているネジＳ１（図２参照）と螺合する。
【００２６】
突条部１１３は、詳細後述する中間部材１０９が取り付けられる取付領域を囲んで設けられており、図６に示すように中間部材１０９の側部を覆う。さらに本実施の形態では、突条部１１３は、中間部材１０９の側部を超えて、タッチパネル１１０の側部の少なくとも一部を覆う。突条部１１３は、タッチパネル１１０の側部のすべてを覆うように、もしくはタッチパネル１１０の側部を超えて覆うようにしてもよい。
【００２７】
中間部材１０９は、図９及び図１０に示すように、第２開口１１８が設けられた枠状の部材である。中間部材１０９は、第２開口１１８が第１開口１１１と前後に重なるようにフロントフレーム１０８の前面に着脱可能に取り付けられる。
【００２８】
ここで、「第２開口１１８が第１開口１１１と重なる」とは、前方から見た場合に、第２開口１１８の少なくとも一部が、第１開口１１１の少なくとも一部に重なることを意味する。また、図１０において、左下に示される図（ａ）が中間部材１０９の正面図であり、正面図の上方に示される図（ｂ）が平面図であり、正面図の右方に示す図（ｃ）及び（ｄ）がそれぞれ右側面図及び背面図である。
【００２９】
中間部材１０９は、第２開口１１８が設けられた第２フレーム部１１９と、後方へ向けて突出する８つの突出部１２０とを有する。突出部１２０の各々は、第１フレーム部１１２の第２貫通孔１１６に嵌るように設けられており、後方へ向けて開放された第２ネジ穴部１２１を有する。突出部１２０の各々に設けられた第２ネジ穴部１２１には、図６に示すように、締結部材としてのネジＳ２がねじ込まれており、これによって、中間部材１０９がフロントフレーム１０８に取り付けられる。本実施の形態では、中間部材１０９は、フロントフレーム１０８の前面に取り付けられている。
【００３０】
なお、中間部材１０９は、フロントフレーム１０８の後面に着脱可能に取り付けられてもよい。
【００３１】
タッチパネル１１０は、ユーザが接触することによって入力するためのシート状の部材であって、中間部材１０９の前面に設けられた接着層Ｇ（図６参照）により固定される。タッチパネル１１０は、ケーブル１２２（図４参照）を有し、ユーザが接触した位置を示す信号をケーブル１２２を介して出力する。接着層Ｇは、両面テープ、接着剤などにより形成される。
【００３２】
タッチパネル１１０は、例えば図５に示すように、ユーザが入力するための透明な入力領域１２３と、入力領域１２３の周囲に設けられた領域であって中間部材１０９に固定される不透明な非入力領域１２４とを有する。ここで、各図において、透明な入力領域１２３を通して見えるものについては図示を省略している。
【００３３】
タッチパネル１１０は、入力領域１２３が第２開口１１８に重なるように中間部材１０９に固定される。ここで、「入力領域１２３が第２開口１１８に重なる」とは、前方から見た場合に、入力領域１２３が、第２開口１１８の少なくとも一部に重なることを意味する。
【００３４】
なお、タッチパネル１１０は、中間部材１０９の後面に固定されてもよい。また、非入力領域１２４は、透明であってもよく、半透明であってもよい。
【００３５】
これまで、本発明の一実施の形態に係るＰＯＳ端末１００のタッチパネル付きディスプレイ１０１の構成について説明した。ここから、ＰＯＳ端末１００のタッチパネル付きディスプレイ１０１の組立方法の一例を説明する。
【００３６】
表示パネル１０２は、図示しないネジなどによりリアケース１０３に取り付けられる。
【００３７】
表示パネル１０２が取り付けられたリアケース１０３は、ＰＯＳ端末１００の制御部等と接続するためのケーブルが接続されて、ＰＯＳ端末１００の本体部分に取り付けられる。
【００３８】
フロントフレーム１０８と中間部材１０９とが、準備される。フロントフレーム１０８の第２貫通孔１１６に、中間部材１０９の突出部１２０が挿入され、これにより、中間部材１０９がフロントフレーム１０８に位置決めされる。
【００３９】
後方から突出部１２０に設けられた第２ネジ穴部１２１の各々にネジＳ２がねじ込まれる。これにより、中間部材１０９がフロントフレーム１０８に取り付けられる。
【００４０】
タッチパネル１１０が、入力領域１２３が第２開口１１８に重なるように中間部材１０９に位置付けられて、両面テープ又は接着剤を用いて貼り付けられる。これにより、タッチパネル１１０は、入力領域１２３が第２開口１１８に重なるように中間部材１０９に固定される。これにより、フロントケース１０４が完成する。
【００４１】
フロントケース１０４は、フロントフレーム１０８の上部に設けられた４つの第２係合部１１４のそれぞれをリアケースの４つの第１係合部１０５に係合させて、ＰＯＳ端末１００の本体部分に取り付けられた上述のリアケース１０３にフロントケース１０４を取り付ける。
【００４２】
そして、フロントフレーム１０８の下部に設けられた５つの第１ネジ穴部１１７の各々に、第１貫通孔１０７を通じて後方から、ネジＳ１をネジ込む。これにより、フロントケース１０４は、リアケース１０３に取り外し可能に固定される。
【００４３】
以上、本発明の一実施の形態について説明した。
【００４４】
本実施の形態では、タッチパネル１１０が中間部材１０９に固定される。そのため、中間部材１０９をフロントフレーム１０８から取り外すことで、タッチパネル１１０をフロントフレーム１０８から取り外すことができる。
【００４５】
また本実施の形態では、中間部材１０９は、フロントフレーム１０８とは別の部材として構成される。そのため、タッチパネル１１０及びフロントフレーム１０８に損傷を与えることなく、中間部材１０９をフロントフレーム１０８から取り外すことができる。
【００４６】
従って、タッチパネル１１０及びフロントフレーム１０８に損傷を与えることなく、タッチパネル１１０をフロントフレーム１０８から取り外すことが可能になる。
【００４７】
また、タッチパネル１１０とフロントフレーム１０８のいずれかに不具合が生じた場合、不具合が生じたものだけを交換することができる。これにより、メンテナンスコストの低減を図ることが可能になる。
【００４８】
さらに、フロントフレーム１０８に不具合が生じた場合は、フロントフレーム１０８だけを交換すればよく、高価なタッチパネルを無駄にすることがない。タッチパネル１１０に不具合が生じた場合は、タッチパネル１１０と中間部材１０９をセットで交換することになるが、中間部材１０９は、フロントフレーム１０８に比べて安価であり、タッチパネルとフロントフレームをセットで交換することに比べれば損失を少なくすることができる。
【００４９】
さらに、中間部材１０９がフロントフレーム１０８に比べて安価であるので、中間部材１０９にタッチパネル１１０を予め固定したものを交換部品として用意しておくことができる。その結果、運用中のＰＯＳ端末１００のタッチパネル１１０に不具合が生じても、短時間で交換が可能である。
【００５０】
ここで、中間部材１０９が安価であるのは以下の理由による。中間部材１０９は外に露出するものではないので、色の指定が不要であり、外観上要求される美観のレベルも高くない。また、リサイクル材料を使用することもできる。そのため、中間部材１０９は、安価で製造することができる。
【００５１】
実施の形態では、中間部材１０９が取り付けられる取付領域を囲んで突出する突条部１１３を有する。仮に突条部１１３が設けられない場合、側方から物が衝突したり外力が加わったりすると、中間部材１０９及びタッチパネル１１０の側部と、フロントフレーム１０８の側部との両方が損傷する可能性がある。本実施の形態では、側方から物が衝突した場合、側方から外力が加わった場合などに、突条部１１３によって、中間部材１０９の側部が損傷する可能性を低減することができる。
【００５２】
突条部１１３が中間部材１０９の側部を超えて、タッチパネル１１０の側部の少なくとも一部を覆う。これにより、側方から物が衝突した場合、側方から外力が加わった場合などに、中間部材１０９及びタッチパネル１１０の側部が損傷する可能性をより低減することができる。
【００５３】
中間部材１０９は、締結部材としてのネジＳ２によりフロントフレーム１０８に取り付けられているので、ネジＳ２を着脱することによって、中間部材１０９をフロントフレーム１０８から容易に着脱することができる。従って、タッチパネル１１０及びフロントフレーム１０８に損傷を与えることなく、タッチパネル１１０をフロントフレーム１０８から取り外すことが可能になる。
【００５４】
中間部材１０９は、フロントフレーム１０８の前面に取り付けられ、タッチパネル１１０は、中間部材１０９の前面に固定されている。このようなタッチパネル付きディスプレイ１０１では、タッチパネル１１０の前面がすべて外部に露出するため、タッチパネル１１０の一部が外部に露出しないタッチパネル付きディスプレイよりも、タッチパネル１１０が損傷する可能性が高い。タッチパネル１１０及びフロントフレーム１０８に損傷を与えることなく、タッチパネル１１０をフロントフレーム１０８から取り外すことが上述のように可能になる結果、メンテナンスコストの低減を図ることが可能になる。
【００５５】
タッチパネル１１０は、非入力領域１２４により中間部材に固定される。そのため、入力領域１２３の全体をユーザが入力するために利用することができる。従って、ユーザの入力を阻害することなく、タッチパネル１１０を中間部材１０９に固定することが可能になる。
【００５６】
以上、本発明の一実施の形態について説明したが、本発明は、この実施の形態に限られない。例えば、本発明は、実施の形態を適宜変形した変形例、実施の形態及び変形例の一部又は全部を適宜組み合わせた形態、その形態に適宜変更を加えた形態をも含む。
【産業上の利用可能性】
【００５７】
本発明は、タッチパネル付きディスプレイが搭載される装置などに有用である。
【符号の説明】
【００５８】
１００  ＰＯＳ端末
１０１  タッチパネル付きディスプレイ
１０２  表示パネル
１０３  リアケース
１０４  フロントケース
１０５  第１係合部
１０６ａ，１０６ｂ，１０６ｃ，１０６ｄ  金属フレーム
１０７  第１貫通孔
１０８  フロントフレーム
１０９  中間部材
１１０  タッチパネル
１１１  第１開口
１１２  第１フレーム部
１１３  突条部
１１４  第２係合部
１１５  係合爪
１１６  第２貫通孔
１１７  第１ネジ穴部
１１８  第２開口
１１９  第２フレーム部
１２０  突出部
１２１  第２ネジ穴部
１２２  ケーブル
１２３  入力領域
１２４  非入力領域
Ｓ１，Ｓ２  ネジ
【図１】
0006406731.tif 000002
【図２】
0006406731.tif 000003
【図３】
0006406731.tif 000004
【図４】
0006406731.tif 000005
【図５】
0006406731.tif 000006
【図６】
0006406731.tif 000007
【図７】
0006406731.tif 000008
【図８】
0006406731.tif 000009
【図９】
0006406731.tif 000010
【図１０】
0006406731.tif 000011